(57)【特許請求の範囲】
【請求項１】
運転席後方の荷台上に設けられ後部が開口した塵芥収容箱と、前記塵芥収容箱の後部上端部に軸着されて上下に回動する塵芥投入箱と、前記塵芥投入箱内に投入された塵芥を前記塵芥収容箱に積み込む塵芥積込装置とを備える塵芥収集車であって、
前記塵芥収容箱が、塵芥を収容すると共に底面に複数の排水孔を備える上層収容室と、
前記上層収容室の下方に設けられ、前記排水孔を介して前記上層収容室と連通し、底面に水抜き孔を有し、同底面及び上面に接合する補強板が内部に配設された下層収容室とに区画されており、
前記補強板の一部に開口が形成されて、前記排水孔を通って前記下層収容室に至った汚水が前記開口を通って前記水抜き孔に至るようにされてなることを特徴とする塵芥収集車。
【請求項２】
請求項１記載の塵芥収集車であって、
前記塵芥投入箱の前部に、該塵芥投入箱の回動に伴い前記上層収容室の後部開口の少なくとも下部及び下層収容室の後部開口の全体を開閉する開閉蓋を備えることを特徴とする塵芥収集車。
【請求項３】
請求項２記載の塵芥収集車であって、
前記塵芥積込装置が、前記塵芥投入箱内に回転自在に設けられ、該塵芥投入箱内に投入された塵芥を掻き上げる回転板と、前記塵芥投入箱内に揺動自在に設けられ、前記回転板が掻き上げた塵芥を前記開閉蓋よりも上方に掻き上げる掻上板と、前記塵芥投入箱内に揺動自在に設けられ、前記掻上板が掻き上げた塵芥を前記上層収容室に押し込む押込板とを備えることを特徴とする塵芥収集車。
【請求項４】
請求項１〜３のいずれか一つに記載の塵芥収集車であって、
前記下層収容室の底面に前記水抜き孔から外部への排水手段を備えることを特徴とする塵芥収集車。
【発明の詳細な説明】
【０００１】
【発明の属する技術分野】
本発明は、塵芥収集車に関わり、特に塵芥収容箱に収容された塵芥の塵芥投入箱側への逆戻りや塵芥から生じる汚水の逆流を防止する塵芥収集車に関する。
【０００２】
【従来の技術】
一般に、荷台上の塵芥収容箱の後部に塵芥投入箱を設け、塵芥投入箱に内接された回転板が掻き上げる塵芥を押込板によって塵芥収容箱内に押込む、いわゆる回転式塵芥収集車が知られている。
【０００３】
【発明が解決しようとする課題】
このような回転式塵芥収集車においては、押込板は塵芥を塵芥収容箱内に押込んだ後、回転板が新たな塵芥を掻き上げるまで一旦後方に揺動するが、この際に、塵芥収容箱内に押込まれていた塵芥が塵芥投入箱側に戻ってきてしまう場合があり、塵芥収集作業の作業効率を悪化させる原因となっている。
【０００４】
また、コンビニエンスストア、スーパー、ホテル等で廃棄される生ごみを含んだ塵芥は含水率が比較的高いことから、上述のように押込板により塵芥収容箱内に押し込まれ圧縮された塵芥から生じる汚水が塵芥投入箱側に大量に流出してしまい、塵芥投入箱底部（ホッパ）内や塵芥投入箱底部に設けられた汚水タンクが短時間で満杯になるという問題があった。
また、生ごみ等の含水率が高い塵芥をそのまま焼却処分すると、生ごみ中の水分により焼却炉の燃焼効率が低下してしまうという問題や、生ごみ中の水分等に多く含まれる食塩等の塩素成分に起因してダイオキシン等の有害物質が発生するという問題がある。
【０００５】
本発明の課題は、上述の問題を考慮し、塵芥収容箱から塵芥投入箱への塵芥の逆戻りや汚水の逆流を防止でき、塵芥の水切りのよい塵芥収集車を提供することである。
【０００６】
【課題を解決するための手段】
上記の課題を解決するため、請求項１記載の塵芥収集車は、運転席後方の荷台上に設けられ後部が開口した塵芥収容箱と、前記塵芥収容箱の後部上端部に軸着されて上下に回動する塵芥投入箱と、前記塵芥投入箱内に投入された塵芥を前記塵芥収容箱に積み込む塵芥積込装置とを備える塵芥収集車であって、前記塵芥収容箱が、塵芥を収容すると共に底面に複数の排水孔を備える上層収容室と、前記上層収容室の下方に設けられ、前記排水孔を介して前記上層収容室と連通し、底面に水抜き孔を有し、同底面及び上面に接合する補強板が内部に配設された下層収容室とに区画されており、前記補強板の一部に開口が形成されて、前記排水孔を通って前記下層収容室に至った汚水が前記開口を通って前記水抜き孔に至るようにされてなることを特徴とする。
【０００７】
請求項１記載の塵芥収集車によれば、塵芥収容箱が上層収容室と下層収容室とに区画され、上層収容室の底面に複数の排水孔が形成される。従って、上層収容室に収容された塵芥から生じる汚水は排水孔を通って下層収容室に貯留されることになるので、汚水と塵芥とを一緒に焼却処分する場合に生じる汚水による焼却炉の燃焼効率低下の問題や、汚水中の塩分等を焼却する際の有害物質発生の問題を解消できる。
また、請求項１記載の塵芥収集車によれば、補強板により上層収容室に収容される塵芥の重量に耐え得るように下層収容室を補強でき、補強板の一部には開口が形成されており、汚水はこの開口を通って水抜き孔に至ることができる。
【０００８】
請求項２記載の塵芥収集車は、請求項１記載の塵芥収集車であって、前記塵芥投入箱の前部に、該塵芥投入箱の回動に伴い前記上層収容室の後部開口の少なくとも下部及び下層収容室の後部開口の全体を開閉する開閉蓋を備えることを特徴とする。
【０００９】
請求項２記載の塵芥収集車によれば、請求項１と同様の効果を得られると共に、塵芥投入箱が塵芥収容箱に係止された状態では、上層収容室の後部開口の少なくとも下部及び下層収容室の後部開口の全体は開閉蓋により閉じられる。従って、例えば従来のこの種の塵芥収集車のように、塵芥収容箱に収容された塵芥が塵芥投入箱側に逆戻りする事態を防ぐことができる、また、塵芥から生じる汚水が塵芥投入箱側に流出する事態を防止することができる。
【００１０】
請求項３記載の塵芥収集車は、請求項２記載の塵芥収集車であって、前記塵芥積込装置が、前記塵芥投入箱内に回転自在に設けられ、該塵芥投入箱内に投入された塵芥を掻き上げる回転板と、前記塵芥投入箱内に揺動自在に設けられ、前記回転板が掻き上げた塵芥を前記開閉蓋よりも上方に掻き上げる掻上板と、前記塵芥投入箱内に揺動自在に設けられ、前記掻上板が掻き上げた塵芥を前記上層収容室に押し込む押込板とを備えることを特徴とする。
【００１１】
請求項３記載の塵芥収集車によれば、請求項１または２と同様の効果を得られると共に、回転板が掻き上げた塵芥を掻上板が前記開閉蓋よりも上方に掻き上げた状態で押込板が前記上層収容室に押し込む。従って、少なくとも上層収容室内の塵芥の収容量が開閉蓋の上端よりも下方である場合、開閉蓋が上層収容室の背面側の壁として機能し、上層収容室内の塵芥が塵芥投入箱側に逆戻りする事態を防ぐことができる。また、塵芥の収容量が開閉蓋の上端を超えた場合でも、塵芥の自重により塵芥に対して作用する塵芥投入箱側に押し出そうとする力を抑制することができ、塵芥投入箱への塵芥の逆戻りを防ぐことができる。
【００１２】
請求項４記載の塵芥収集車は、請求項１〜３のいずれか一つに記載の塵芥収集車であって、前記下層収容室の底面に前記水抜き孔から外部への排水手段を備えることを特徴とする。
【００１３】
請求項４記載の塵芥収集車によれば、請求項１〜３のいずれか一つと同様の効果を得られると共に、下層収容室に貯留された汚水を排水手段により所定場所に排出することで、汚水と塵芥とを一緒に焼却処分する場合に生じる汚水による焼却炉の燃焼効率低下の問題や、汚水中の塩分等を焼却する際の有害物質発生の問題を解消できる。
【００１４】
【発明の実施の形態】
以下、本発明に係るごみ収集車の実施の形態を図を用いて説明する。
図１に示すように、塵芥収集車１０はシャシー１１上に搭載された塵芥収容箱２０と塵芥投入箱３０とにより概略構成され、塵芥収容箱２０の上部後端にブラケット１２を介して支持された塵芥投入箱３０は、塵芥収容箱２０に対して上下に回動可能となっている。
【００１５】
塵芥収容箱２０は、図２に示すように、後部に開口２１を備えた箱状に形成されており、その内部は隔壁２２によって上層収容室２３と下層収容室２４とに区画されている。なお、以下の説明においては、塵芥収容箱２０の後部開口２１のうち、上層収容室２３に対応する開口については上層収容室の後部開口２３ａと表記し、下層収容室２４に対応する開口については下層収容室の後部開口２４ａと表記する。なお、図２では理解を容易にすべく、塵芥収容箱２０の一部を破断して示している。
【００１６】
上層収容室２３には塵芥が後述する押込板５３によって押し込まれ圧縮された状態で収容される。押込板５３や自重により圧縮された塵芥からは汚水が発生するが、この汚水は隔壁２２に形成された複数の排水孔２２ａを通って下層収容室２４に至り、下層収容室２４に貯留される。
【００１７】
下層収容室２４の底面には排水手段４０としてのパイプ４１とバルブ４２とが設けられている。パイプ４１は下層収容室２４の底面に形成された水抜き孔２４ｂに連結しており、パイプ４１に取り付けられたバルブ４２を開くことで、下層収容室２４内の汚水を外部に排出できるようになっている。なお、水抜き孔２４ｂからの汚水の排出を容易にするため、下層収容室２４の底面に前後方向に伸びる溝を形成したり、あるいは下層収容室２４の底面を水抜き孔２４ｂに向かって下方に傾斜するように形成することが好ましい。また、水抜き孔２４ｂを複数設け、各水抜き孔２４ｂにパイプ４１及びバルブ４２を配設しても良い。
【００１８】
下層収容室２４の内部には、前後方向に複数（本実施の形態では２枚）の補強板２４ｃが配設されている。各補強板２４ｃの上下側面はそれぞれ隔壁２２と下層収容室２４の底面に接合しており、これら補強板２４ｃにより下層収容室２４は上層収容室２３に収容される塵芥の重量に耐え得る程度の強度を有する構造となっている。また、補強板２４ｃの一部には開口２４ｄが形成されており、汚水はこの開口を通って水抜き孔２４ｂに至るようになっている。
【００１９】
塵芥収容箱２０の下部後端は、シャシー１１の後端に設けられたブラケット１３に連結しており、シャシー１１と塵芥収容箱２０とに架設された塵芥収容箱駆動用シリンダ１４（図４を参照）の伸張によって、塵芥収容箱２０はブラケット１３との連結部分を中心にしてシャシー１１に対して後方に傾倒するようになっている。
【００２０】
塵芥投入箱３０は上述のように塵芥収容箱２０の上部後端にブラケット１２を介して連結しており、塵芥収容箱２０と塵芥投入箱３０とに架設された図示しない塵芥投入箱駆動用シリンダの伸縮によって、塵芥投入箱３０はブラケット１２との連結部分を中心にして塵芥収容箱２０に対して接離するように上下に回動し、最下方位置で塵芥収容箱２０の後部開口２１を覆うようになっている。
塵芥投入箱３０には、その背面下部にごみ投入口３１が形成されており、このごみ投入口３１から塵芥投入箱３０内に塵芥が投入される。
【００２１】
塵芥投入箱３０の底部には、下方に撓むように形成されたホッパー部３２が配設されており、塵芥投入箱３０に投入された塵芥はホッパー部３２に蓄積される。また、図示は省略するが、ホッパー部３２の底面には複数の開口が設けられており、ホッパー部３２に蓄積された塵芥から生ずる汚水は、この開口を通ってホッパー部３２の下部に設けられた汚水タンクに貯留されるようになっている。
塵芥投入箱３０の前部３３は、ホッパー部３２の上端から塵芥投入箱３０の上下方向略中央に至るまで前方に撓むように形成され、略中央から上端にかけては押し込み口３４が形成されている。そして、塵芥投入箱３０に投入された塵芥は、後述する掻上板５２により塵芥投入箱前部３３に当接しつつ上方に掻き上げられ、その後、後述する押込板５３により押し込み口３４から上層収容室２３に押し込まれるようになっている。
【００２２】
塵芥投入箱前部３３の前面には開閉蓋３５が取り付けられている。開閉蓋３５は上層収容室２３の後部開口２３ａの略中央部から下部、さらに下層収容室２４の後部開口２４ａ全体を開閉するものであり、塵芥投入箱３０と一体に回動するようになっている。
塵芥投入箱３０及び塵芥収容箱２０には、塵芥投入箱３０を塵芥収容箱２０に固縛するための固縛装置（図示せず）が取り付けられている。固縛装置は、塵芥収容箱２０の下部後端に取り付けられる固縛用シリンダ、塵芥収容箱２０の後部下端に軸支され、固縛用シリンダの伸縮によって駆動するフック、塵芥投入箱３０の下部前端に取り付けられる係合ピン等から概略構成されている。そして、塵芥投入箱３０が下方に回動した状態、つまり塵芥収容箱２０後部に接した状態で係合ピンにフックが係合することで、塵芥投入箱３０は塵芥収容箱２０に係止されるようになっている。
【００２３】
そして、塵芥投入箱３０が塵芥収容箱２０に係止された状態では、開閉蓋３５の前面は上層収容室２３の後部開口２３ａの略中央部から下端及び下層収容室２４の後部開口２４ａ全体を密閉した状態となる。即ち、開閉蓋３５は上層収容室２３内の塵芥に当接することで上層収容室２３内の塵芥が塵芥投入箱３０に逆戻りすることを防ぐ機能と、下層収容室２４に貯留された汚水が塵芥投入箱３０に流出することを防ぐ機能とを有することになる。
【００２４】
また、塵芥収容箱２０の後部側縁にはパッキン２５が取り付けられており、塵芥投入箱３０が塵芥収容箱２０に係止された状態では、このパッキン２５によって塵芥投入箱３０と塵芥収容箱２０とが密閉された状態となる。
塵芥投入箱３０の背面にはごみ投入口３１を開閉するカバー３６が配設されている。カバー３６はその上縁部分が塵芥投入箱３０の背面上部に軸着されて回動するアーム３６ａ（図３（Ａ）を参照）の先端に連結され、その下縁部分がごみ投入口３１の両側に固定されたレールに案内されて上下に移動し、ごみ投入口３１を開閉するようになっている。
【００２５】
塵芥投入箱３０の内部には、塵芥投入箱３０内に投入された塵芥を塵芥収容箱２０に積み込む塵芥積込装置５０が配設されている。
塵芥積込装置５０は、回転板５１、その上方に設けられた掻上板５２、さらにその上方の押込板５３等を備える。
回転板５１は塵芥投入箱３０内の下方位置において、車幅方向（左右方向）に沿って配設される回転軸５１ａに接合しており、この回転軸５１ａの軸回りの回転と一体に回転し、先端を水平よりやや上方に向けた位置で停止するようになっている。
【００２６】
掻上板５２は回転板５１の上方において、車幅方向に沿って配設される支軸５２ａに基端を連結している。掻上板５２の中間部と塵芥投入箱３０の上部には掻上板駆動用シリンダ５２ｂが架設され、この掻上板駆動用シリンダ５２ｂの伸縮によって掻上板５２は支軸５２ａを中心として前後方向に揺動するようになっている。
押込板５３はその中間部において塵芥収容箱２０の上部後端に配設されたブラケット１２に回動自在に連結している。そして、押込板５３の上端部が塵芥収容箱２０の上部に固定された押込板駆動用シリンダ５３ａのロッドに軸着され、この押込板駆動用シリンダ５３ａの伸縮によって押込板５３はブラケット１２との連結部分を中心として、塵芥投入箱３０内を前後方向に揺動するようになっている。なお、塵芥を上層収容室２３内に押し込むため、押込板５３が最も前方に揺動した時点では、押込板５３の先端部分は上層収容室２３の内部にまで至るようになっている。また、押込板５３は積込時以外では押し込み口３４を閉塞する。
【００２７】
次に、上述のように構成される塵芥収集車１０による塵芥の積込作業について図３を用いて説明する。
まず、積込時は図３（Ｃ）に示すように、回転板５１が前方に回転した状態で作業者により塵芥投入箱３０に投入された塵芥はホッパー部３２に蓄積される。なお、この時点で掻上板５２は回転板５１の回転軌跡から離れた前方位置にあり、押込板５３は押し込み口３４を閉じた前方位置にある。
そして、ホッパー部３２に所定量の塵芥が蓄積され、積込作業が開始されると、回転板５１を図３（Ａ）に矢印で示すように時計回りに回転させてホッパー部３２内の塵芥を掻き上げる。この回転板５１の回転に同期して掻上板５２は後方へ揺動し、図３（Ｂ）に示す後方位置で停止する。
【００２８】
その後、回転板５１は、図３（Ｂ）に示すように、塵芥投入箱前部３３の延長線上あるいは延長線より若干上方となり、上面が掻上板５２の先端軌跡に沿う位置まで回転して停止する。なお、この状態で塵芥は回転板５１上に存在する。
そして、掻上板５２は後方位置から前方への揺動を開始し、また、押込板５３は後方へ揺動して押し込み口３４を開く。
前方に揺動する掻上板５２は、回転板５１上の塵芥を塵芥投入箱前部３３に沿って上方に押し上げ、その後、図３（Ａ）に示すように、先端が押し込み口３４の下端付近まで揺動して停止する。
【００２９】
次いで、押込板５３は前方へ揺動して掻上板５２上の塵芥を上層収容室２３に押し込み、その後押し込み口３４を閉じることで塵芥積込作業の１サイクルが完了する。
このような作業を繰り返し行うことにより、塵芥は上層収容室２３に圧縮された状態で収容され、また、圧縮された塵芥から生じる汚水は、排水孔２２ａを通過して下層収容室２４に貯留される。
そして、上層収容室２３に所定量の塵芥が収容された時点で塵芥収集車１０は回収場所まで移動して塵芥を外部に排出する。
【００３０】
この排出作業について図４を用いて説明すると、まず回収場所において排水手段４０のバルブ４２を開くことで下層収容室２４内の汚水を外部に排出する。
その後、固縛装置による塵芥収容箱２０への塵芥投入箱３０の係止を解除し、塵芥投入箱駆動用シリンダを作動させて塵芥投入箱３０を上方に回動させる。なお、塵芥投入箱３０と一体に開閉蓋３５も上方へ回動して、下層収容室２４の後部開口２４ａが開かれることになるが、この時点では下層収容室２４内の汚水は全て外部に排出されていることから、下層収容室２４の後部開口２４ａから汚水が流出することはない。
【００３１】
また、押込板駆動用シリンダ５３ａを収縮させることで押込板５３を後方に揺動させて上層収容室２３の後部開口２３ａを開放すると共に、塵芥収容箱駆動用シリンダ１４を伸張させることで塵芥収容箱２０を後方に傾倒させて上層収容室２３内の塵芥を外部に排出する。
塵芥の排出が済んだ後は塵芥収容箱駆動用シリンダ１４を収縮させることで塵芥収容箱２０の傾倒を解除し、また、塵芥投入箱駆動用シリンダを収縮させることで塵芥投入箱３０を下方に回動させる。そして、固縛装置により塵芥投入箱３０を塵芥収容箱２０に係止することで塵芥収集車１０は図１に示す状態となり、一連の塵芥排出作業が完了する。
【００３２】
本実施の形態に示した塵芥収集車１０によれば、塵芥収容箱２０が隔壁２２によって上層収容室２３と下層収容室２４とに区画され、隔壁２２には複数の排水孔２２ａが形成されている。従って、上層収容室２３に収容された塵芥から生じる汚水は排水孔２２ａを通って下層収容室２４に貯留されることになるので、例えば従来のこの種の塵芥収集車のように、水分の多い塵芥を収容した場合にしばしば起こる塵芥収容箱に収容された塵芥から生じる汚水が塵芥投入箱側に流出する事態を防止することができる。
また、塵芥中に含まれる水分の大部分を汚水としてまとめて下層収容室２４に貯留して、排水手段４０により所定場所に排出するので、汚水と塵芥とを一緒に焼却処分する場合に生じる汚水による焼却炉の燃焼効率低下の問題や、汚水中の塩分等を焼却する際の有害物質発生の問題を解消できる。
【００３３】
また、塵芥投入箱３０が固縛装置によって塵芥収容箱２０に係止された状態では、上層収容室２３の後部開口２３ａの略中央部から下部は開閉蓋３５により閉じられる。また、回転板５１により掻き上げられた塵芥は、掻上板５２により更に上方に掻き上げられ、押し込み口３４を介して押込板５３により上層収容室２３に押し込まれる。従って、少なくとも上層収容室２３内の塵芥の収容量が押し込み口３４の下端以下の場合、上層収容室２３内の塵芥が塵芥投入箱３０側に逆戻りする事態を防ぐことができる。また、塵芥の収容量が押し込み口３４の下端を超えて、上層収容室２３に塵芥がほぼ満載された状態となった場合でも、押し込み口３４が上層収容室２３の上部に位置することから、塵芥の自重により塵芥に対して作用する塵芥投入箱３０側に押し出そうとする力を抑制することができ、塵芥投入箱３０への塵芥の逆戻りを防ぐことができる。
【００３４】
また、本発明の塵芥収集車１０は、一般的な塵芥収集車、即ち、塵芥収容箱の後部に上下方向に回動可能に取付けられた塵芥投入箱と、塵芥投入箱内に配置され、塵芥を塵芥収容箱に積み込む積込装置とを備えた塵芥収集車を利用して製作することができる。つまり、若干の設計変更が必要ではあるが、塵芥収容箱内を上層収容室と下層収容室とに区画して、上層収容室内の塵芥から生じる汚水を下層収容室まで移動可能な構成にすると共に、塵芥投入箱の前部に一体に開閉扉を設け、積込装置が塵芥を塵芥投入箱の上方から上層収容室に積み込むように構成することで、本発明の塵芥収集車１０を比較的容易かつ製造コストを抑えて製造することができる。
【００３５】
なお、本発明は上記実施の形態に限定されることはなく、適宜変更可能である。
例えば、本実施の形態では傾倒方式の塵芥収容箱２０について説明したが、これに限らず、排出板方式の塵芥収容箱内部を上層収容室と下層収容室とに区画し、上層収容室に排出板を設けるようにしてもよい。この場合、後方開口を閉じた状態で排出版を後退させ収容した塵芥を圧縮すれば、さらに一層水切り効果を上げることが出来る。
【００３６】
また、本実施の形態においては、塵芥投入箱３０と一体に回動する開閉蓋３５により下層収容室２４の後部開口２４ａを開閉するものとしたが、これに限らず、下層収容室２４の後部開口２４ａを開閉する蓋を別途設けて、塵芥投入箱３０の回動とは独立して開閉させるものとしても良く、あるいは、下層収容室２４の後部開口２４ａを開閉せず、密閉する構成としてもよい。
また、本実施の形態においては、塵芥投入箱３０の回動や塵芥積込装置５０の駆動をシリンダで行うものとしたが、これに限らずどのような機構によるものでもよい。
【００３７】
【発明の効果】
以上詳述したように、本発明の塵芥収集車によれば、塵芥収容箱内を上層収容室と連通する下層収容室とに区画して、塵芥を塵芥投入箱の前部に設けた開閉扉の上方から上層収容室に押し込むようにしたので、上層収容室の塵芥から生じる汚水を下層収容室に貯留し、塵芥収容箱から塵芥投入箱への塵芥の逆戻りや汚水の逆流を防止できる。
また、本発明の塵芥収集車によれば、補強板により上層収容室に収容される塵芥の重量に耐え得るように下層収容室を補強でき、補強板の一部には開口が形成されており、汚水はこの開口を通って水抜き孔に至ることができる。
【図面の簡単な説明】
【図１】実施の形態に係る塵芥収集車の側面図である。
【図２】塵芥収容箱の構造を示す要部斜視図である。
【図３】塵芥積込作業を示す要部側面図（Ａ）〜（Ｃ）である。
【図４】塵芥排出作業を示す要部側面図である。
【符号の説明】
１０    塵芥収集車
２０    塵芥収容箱
２２ａ  排水孔
２３    上層収容室
２４    下層収容室
３０    塵芥投入箱
３５    開閉蓋
４０    排水手段
５０    塵芥積込装置
５１    回転板
５２    掻上板
５３    押込板
【図１】
0003986805.tif 000002
【図２】
0003986805.tif 000003
【図３】
0003986805.tif 000004
【図４】
0003986805.tif 000005